(57)【要約】【課題】使い勝手の向上を図る上で有利な撮像装置およびロック機構を提供する。【解決手段】ロック用操作部材５６を、雄ねじ７４が第２の雌ねじ３８０４に螺合していく回転方向に回転操作すると、ロック用操作部材５６は回転しつつ脱着プレート３６側に移動し、ワッシャ７６を介して筒状部材５４を脱着プレート３６方向に移動させる。筒状部材５４の移動により筒部７０の下端７００２がワッシャ６４を介して凹部６０の底面６００２に当接する。これによりフレーム２４の凹部６０の底面６００２を構成する箇所は、スペーサ６２とワッシャ６４が介在した状態で筒状部材５４と脱着プレート３６により挟持固定され、フレーム２４はカメラ本体１２のケース１８上に旋回不能な状態で支持されることになる。【選択図】図８
2008054024.tif 000002
【特許請求の範囲】
【請求項１】
ケースと、前記ケースに収容され被写体像を撮像する撮像素子と、前記ケースに収容され前記撮像素子によって生成された撮像信号に基づいて映像信号を生成する信号処理部とを含むカメラ本体と、
前記映像信号に基づいて映像を表示する表示部と、前記表示部を支持するフレームとを含むビューファインダー装置と、
前記ケースの着脱部に着脱可能に連結される脱着プレートと、前記脱着プレートから突設された支軸と、前記フレームに設けられ前記支軸が旋回可能に挿通される軸受け孔とを含む前記フレームの旋回機構と、
前記フレームに摩擦抵抗を与え前記フレームの旋回状態を維持する摩擦機構と、
前記フレームの旋回状態のロックとその解除を行なうロック機構とを備え、
前記ロック機構は、
前記支軸に前記支軸の軸方向に移動可能に結合され前記軸受け孔の周囲のフレーム箇所上において前記支軸を覆う筒部を有する筒状部材と、
前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材と、
を含んでいることを特徴とする撮像装置。
【請求項２】
前記摩擦機構は、前記軸受け孔から突出する支軸の先端と前記軸受け孔の周囲のフレーム箇所との間に設けられ前記フレーム箇所を前記脱着プレートに当接する方向に付勢する付勢部材を含んで構成され、
前記筒部は、前記フレーム箇所上において前記支軸と共に前記付勢部材を覆っている、
ことを特徴とする請求項１記載の撮像装置。
【請求項３】
前記軸受け孔から突出する支軸の箇所にフランジが設けられ、
前記摩擦機構は、前記支軸の周囲で前記フランジとこのフランジに対向する前記軸受け孔の周囲のフレーム箇所との間に設けられ前記フレーム箇所を前記脱着プレートに当接する方向に付勢する付勢部材を含んで構成され、
前記筒部は、前記フレーム箇所上において前記支軸と共に前記付勢部材を覆っている、
ことを特徴とする請求項１記載の撮像装置。
【請求項４】
前記フレームは、前記脱着プレートに対面する第１の面と、前記第１の面と反対に位置する第２の面とを有し、
前記第２の面に、前記軸受け孔を中心とする前記第２の面に開放状の凹部が設けられ、
前記摩擦機構は前記凹部内に位置し、
前記筒部は前記凹部内で前記摩擦機構を覆っており、
前記筒状部材は、前記支軸に前記支軸の軸方向に移動可能に結合され前記凹部の底部に対向し前記筒部に連結された環板部とを有し、
前記ロック用操作部材が一方向に回転されることで前記環板部を介して前記筒状部材が前記脱着プレート側に移動する、
ことを特徴とする請求項１記載の撮像装置。
【請求項５】
前記軸受け孔から突出する支軸の箇所にフランジが設けられ、
前記摩擦機構は、前記支軸の周囲で前記フランジとこのフランジに対向する前記軸受け孔の周囲のフレーム箇所との間に設けられ前記フレーム箇所を前記脱着プレートに当接する方向に付勢する付勢部材を含んで構成され、
前記フレームは、前記脱着プレートに対面する第１の面と、前記第１の面と反対に位置する第２の面とを有し、
前記第２の面に、前記軸受け孔を中心とする前記第２の面に開放状の凹部が設けられ、
前記フランジおよび前記付勢部材は前記凹部内に位置し、
前記筒部は前記凹部内で前記フランジおよび前記付勢部材を覆っており、
前記筒状部材は、前記支軸に前記支軸の軸方向に移動可能に結合され前記フランジに対向し前記筒部に連結された環板部を有し、
前記ロック用操作部材が一方向に回転されることで前記環板部を介して前記筒状部材が前記脱着プレート側に移動する、
ことを特徴とする請求項１記載の撮像装置。
【請求項６】
前記軸受け孔から突出する支軸の箇所に雌ねじが形成され、
前記ロック用操作部材は前記雌ねじに螺合する雄ねじを有し、
前記ロック用操作部材の回転により前記雌ねじに対し前記雄ねじが回転し、前記ロック用操作部材が前記支軸の軸方向に移動する、
ことを特徴とする請求項１記載の撮像装置。
【請求項７】
前記筒状部材は、前記支軸に回転不能に結合されている、
ことを特徴とする請求項１記載の撮像装置。
【請求項８】
前記軸受け孔から突出する支軸の箇所にフランジが設けられ、
前記摩擦機構は、前記支軸の周囲で前記フランジとこのフランジに対向する前記軸受け孔の周囲のフレーム箇所との間に設けられ前記フレーム箇所を前記脱着プレートに当接する方向に付勢する付勢部材を含んで構成され、
前記フレームは、前記脱着プレートに対面する第１の面と、前記第１の面と反対に位置する第２の面とを有し、
前記第２の面に、前記軸受け孔を中心とする前記第２の面に開放状の凹部が設けられ、
前記フランジおよび前記付勢部材は前記凹部内に位置し、
前記筒部は前記凹部内で前記フランジおよび前記付勢部材を覆っており、
前記筒状部材は、前記支軸に回転不能かつ前記支軸の軸方向に移動可能に結合され前記フランジに対向し前記筒部に連結された環板部を有し、
前記ロック用操作部材が一方向に回転されることで前記環板部を介して前記筒状部材が前記脱着プレート側に移動し、
前記環板部と前記フランジとの間に、それら環板部とフランジとの間を離す方向に付勢する弾性部材が設けられている、
ことを特徴とする請求項１記載の撮像装置。
【請求項９】
前記弾性部材は、波ワッシャで構成されている、
ことを特徴とする請求項８記載の撮像装置。
【請求項１０】
前記フレームは、前記脱着プレートに対面する第１の面と、前記第１の面と反対に位置する第２の面とを有し、
前記第１の面と前記脱着プレートとの間にスペーサが介在している、
を備えることを特徴とする請求項１記載の撮像装置。
【請求項１１】
前記スペーサは、摩擦係数の小さい材料で形成されている、
ことを特徴とする請求項１０記載の撮像装置。
【請求項１２】
前記摩擦機構は、前記支軸の周囲で前記支軸の先端と前記軸受け孔の周囲のフレーム箇所との間に設けられ前記フレーム箇所を前記脱着プレートに当接する方向に付勢する付勢部材を含んで構成され、
前記フレームは、前記脱着プレートに対面する第１の面と、前記第１の面と反対に位置する第２の面とを有し、
前記第２の面と、前記付勢部材および前記筒部の先端との間にワッシャが介在している、
を備えることを特徴とする請求項１記載の撮像装置。
【請求項１３】
前記ワッシャは、摩擦係数の小さい材料で形成されている、
ことを特徴とする請求項１２記載の撮像装置。
【請求項１４】
前記フレームは、前記脱着プレートに対面する第１の面と、前記第１の面と反対に位置する第２の面とを有し、
前記第２の面と、前記筒部の先端との間に第１のワッシャが介在し、
前記付勢部材と前記第１のワッシャとの間に第２のワッシャが介在している、
ことを特徴とする請求項１記載の撮像装置。
【請求項１５】
前記第１のワッシャは、摩擦係数の小さい材料で形成され、前記第２のワッシャは、金属材料で形成されている、
ことを特徴とする請求項１４記載の撮像装置。
【請求項１６】
前記ロック用操作部材は、前記筒状部材に臨む面を有し、
前記面と前記筒状部材との間に第３のワッシャが介在している、
ことを特徴とする請求項１記載の撮像装置。
【請求項１７】
前記第３のワッシャは、摩擦係数の小さい材料で形成されている、
ことを特徴とする請求項１６記載の撮像装置。
【請求項１８】
脱着プレートと、前記脱着プレートから突設された支軸と、前記フレームに設けられ前記支軸が旋回可能に挿通される軸受け孔とを含む前記フレームの旋回機構に設けられ、前記フレームの旋回状態のロックとその解除を行なうロック機構であって、
前記ロック機構は、
前記支軸に前記支軸の軸方向に移動可能に結合され前記フレーム箇所上において前記支軸を覆う筒部を有する筒状部材と、
前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材と、
を含んでいることを特徴とするロック機構。
【請求項１９】
前記旋回機構に、前記フレームに摩擦抵抗を与え前記フレームの旋回状態を維持する摩擦機構が設けられている、
ことを特徴とする請求項１８記載のロック機構。
【発明の詳細な説明】
【技術分野】
【０００１】
本発明は撮像装置およびロック機構に関する。
【背景技術】
【０００２】
放送局などで使用される業務用の撮像装置として、被写体を撮影して映像信号を生成するカメラ本体と、カメラ本体に取着され映像信号に基づいて映像を表示するビューファインダー装置とを備えるものがある（特許文献１、２参照）。
このような撮像装置では、多くの場合、撮影者の立ち位置や姿勢、被写体の状況に応じてビューファインダー装置の表示面を視認しやすくするために、ビューファインダー装置を例えば鉛直軸回りに旋回可能に保持する旋回機構が設けられている。
従来、このような旋回機構は、ビューファインダー装置が空回りしないように所定の摩擦力をもってビューファインダー装置を保持している。
【特許文献１】特開平６−７８１８７
【特許文献２】特開平８−２８６１１７
【発明の開示】
【発明が解決しようとする課題】
【０００３】
ところで、このような撮像装置を三脚に取り付けて撮影を行う場合、被写体の動きに追従させて撮像装置を鉛直軸回りに勢いよく回転させる（パンさせる）と、慣性により前記の摩擦力を超える力がビューファインダー装置から旋回機構に作用してビューファインダー装置が空回りしてしまう場合があり、その場合には、撮影中に撮影者が手作業によりビューファインダー装置をいちいち元の位置に戻さなくてならず、使い勝手に劣る問題があった。
本発明はこのような事情に鑑みなされたものであり、その目的は、使い勝手の向上を図る上で有利な撮像装置およびロック機構を提供することにある。
【課題を解決するための手段】
【０００４】
上述の目的を達成するため、本発明の撮像装置は、ケースと、前記ケースに収容され被写体像を撮像する撮像素子と、前記ケースに収容され前記撮像素子によって生成された撮像信号に基づいて映像信号を生成する信号処理部とを含むカメラ本体と、前記映像信号に基づいて映像を表示する表示部と、前記表示部を支持するフレームとを含むビューファインダー装置と、前記ケースの着脱部に着脱可能に連結される脱着プレートと、前記脱着プレートから突設された支軸と、前記フレームに設けられ前記支軸が旋回可能に挿通される軸受け孔とを含む前記フレームの旋回機構と、前記フレームに摩擦抵抗を与え前記フレームの旋回状態を維持する摩擦機構と、前記フレームの旋回状態のロックとその解除を行なうロック機構とを備え、前記ロック機構は、前記支軸に前記支軸の軸方向に移動可能に結合され前記軸受け孔の周囲のフレーム箇所上において前記支軸を覆う筒部を有する筒状部材と、前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材とを含んでいることを特徴とする。
また本発明は、脱着プレートと、前記脱着プレートから突設された支軸と、前記フレームに設けられ前記支軸が旋回可能に挿通される軸受け孔とを含む前記フレームの旋回機構に設けられ、前記フレームの旋回状態のロックとその解除を行なうロック機構であって、前記ロック機構は、前記支軸に前記支軸の軸方向に移動可能に結合され前記フレーム箇所上において前記支軸を覆う筒部を有する筒状部材と、前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材とを含んでいることを特徴とする。
【発明の効果】
【０００５】
本発明によれば、ロック機構によりフレームの旋回状態をロックした場合、ビューファインダー装置が不用意に旋回してしまうことが防止され、撮像装置を急にパンさせることが想定される場合における使い勝手を向上させる上で有利となる。
また、ロック機構によりフレームの旋回状態のロックを解除した場合には、ビューファインダー装置を手で動かすことにより容易に旋回させて所望の回転位置に位置させることができる。
【発明を実施するための最良の形態】
【０００６】
次に、本発明の実施の形態について図面を参照して説明する。
図１は撮像装置１０の側面図、図２は図１のＡ矢視図、図３は図１のＢ矢視図である。
図４はビューファインダー装置の背面図、図５（Ａ）はビューファインダー装置の正面図、（Ｂ）は（Ａ）のＣ矢視図である。
図６は図５（Ａ）のＤ矢視図、図７は図５（Ａ）のＥＥ線矢視図である。
図８はフレーム２４の旋回のロックが解除された状態における旋回機構３２、摩擦機構３３、ロック機構３４の断面図である。
図９はフレーム２４の旋回がロックされた状態における旋回機構３２、摩擦機構３３、ロック機構３４の断面図である。
【０００７】
図１乃至図３に示すように、撮像装置１０はカメラ本体１２と、ビューファインダー装置１４と、旋回機構３２と、摩擦機構３３と、ロック機構３４とを備えている。
カメラ本体１２は、ケース１８と、ケース１８に収容され被写体像を撮像する撮像素子（不図示）と、ケース１８に収容され前記撮像素子によって生成された撮像信号に基づいて映像信号を生成する信号処理部（不図示）とを含んで構成されている。
本実施の形態では、ケース１８は、左右方向の幅と、幅よりも大きな寸法の上下方向の高さと、高さよりも大きな寸法の前後方向の長さとを有した直方体状を呈している。
なお、本明細書において、撮像装置１０の前方とは被写体に臨む側をいい、後方とは被写体と反対側にすなわち撮影者側に臨む側をいう。また、撮像装置１０の左右は後方から前方を見た状態でいうものとする。
図２に示すように、ケース１８の前面には、被写体像を前記撮像素子に導く撮影光学系１９を保持する鏡筒２０が設けられている。
図３に示すように、ケース１８が左側面には、前記映像信号や音声信号などを記録する、例えば磁気テープカセットなどの記録媒体が装脱される記録媒体装脱部１８０２が設けられている。
図１に示すように、ケース１８の下部は、三脚２の雲台２Ａに対して着脱可能に取り付けられており、雲台２Ａに連結されたハンドル２Ｂを操作することで、撮像装置１０は雲台２Ａと一体的に鉛直軸回りに回転するように、すなわち、パンするように構成されている。
ケース１８の上面前方寄りの箇所には運搬用の把手１８Ａが設けられている。
ケース１８の上面後方寄りの箇所にはビューファインダー装置１４を装脱可能に取り付けるための着脱部１８Ｂが設けられている。
【０００８】
図１、図４乃至図７に示すように、ビューファインダー装置１４は、表示部２２と、フレーム２４とを含んで構成されている。
表示部２２は、カメラ本体１２から前記映像信号が供給されることにより映像を表示する矩形板状のディスプレイ装置２２Ａと、ディスプレイ装置２２Ａを収容する矩形板状のディスプレイケース２２Ｂとを備え、ディスプレイ装置２２Ａとしては例えば液晶ディスプレイ装置を用いることができる。
ディスプレイケース２２Ｂの厚さ方向の一方の面（前面）には、図５（Ａ）に示すように、撮影中であることを点灯表示するタリーランプ２２０２が設けられ、ディスプレイケース２２Ｂの厚さ方向の他方の面（後面）には、図４に示すように、ディスプレイ装置２２Ａの表示面を後方に臨ませる開口２２０４と、開口２２０４の下辺に沿って配置された複数の操作部材２２０６などが設けられている。
【０００９】
図５に示すように、フレーム２４は、基部２８と、基部２８の両端に設けられた２つのアーム３０とを有している。
基部２８は、ディスプレイケース２２Ｂの下辺の下方に間隔をおいて下辺に沿って延在している。
２つのアーム３０の一端は、基部２８の長手方向の端部に対して、水平方向に延在する第１の軸線Ａ１回りに揺動可能に連結されている。
２つのアーム３０の一端と基部２８の端部との連結構造は、支軸とその支軸を支持する軸受け、摩擦発生機構などからなる従来公知の様々な構造が採用可能である。
本実施の形態では、基部２８に第１の軸線Ａ１回り方向に間隔をおいて複数の孔が設けられ、一方のアーム３０に設けられたピンがそれらの孔の何れかに係合することで、基部２８に対するアーム３０の回転角度が選択的に決定されるように構成されている。
また、２つのアーム３０の他端は、ディスプレイケース２２Ｂの左右両側の長手方向の中央に、第１の軸線Ａ１と平行する第２の軸線Ａ２回りに揺動可能に連結されている。
２つのアーム３０の他端とディスプレイケース２２Ｂの左右両側との連結構造は、支軸とその支軸を支持する軸受け、摩擦発生機構などからなる従来公知の様々な構造が採用可能である。
本実施の形態では、アーム３０に対するディスプレイケース２２Ｂの回転角度は、無段階的に調整可能であり、前記軸受けに対する支軸の回転を阻止、あるいは、許容するロック機構（不図示）が設けられており、ロック機構の操作レバー３２を揺動操作することでアーム３０に対するディスプレイケース２２Ｂの回転角度を任意の位置に固定できるように構成されている。なお、このようなロック機構は従来公知の様々なロック機構を採用可能である。
したがって、表示部２２は第１の軸線Ａ１回りおよび第２の軸線Ａ２回りの揺動角度が調整できるようになっている。なお、表示部２２を第１の軸線Ａ１回りに揺動させることをリフトするといい、表示部２２を第２の軸線Ａ２回りに揺動させることをチルトするという。
【００１０】
図８に示すように、旋回機構３２は、脱着プレート３６と、支軸３８と、軸受け孔４０とを含んで構成され、摩擦機構（摩擦発生機構）３３は、付勢部材４２を含んで構成され、ロック機構３４は、筒状部材５４と、ロック用操作部材５６とを含んで構成されている。
図４、図５に示すように、脱着プレート３６は基部２８の下部中央に設けられており、脱着プレート３６はケース１８の着脱部１８Ｂに着脱可能に連結される。脱着プレート３６と着脱部１８Ｂの着脱機構は従来公知の様々な着脱機構が採用可能である。
図８に示すように、支軸３８は脱着プレート３６から突設されている。
支軸３８は下端軸部４４と円柱部４６とフランジ４８と上端軸部５０とを有している。
下端軸部４４と上端軸部５０とは円柱状に形成されたのち、互いに対向する平面が形成されたもので、下端軸部４４と上端軸部５０は断面がいわゆるダブルＤカットとして形成されている。
また、支軸３８の軸心には、下端軸部４４側から第１の雌ねじ３８０２が形成され、上端軸部５０側から第２の雌ねじ３８０４が形成されている。
支軸３８の脱着プレート３６への取り付けは、下端軸部４４が回転不能に脱着プレート３６の嵌合孔３６０２に挿入され、第１の雌ねじ３８０２に雄ねじ５２が螺合され、円柱部４６の端面と雄ねじ５２の頭部とで脱着プレート３６の部分を挟持固定することでなされている。
【００１１】
基部２８（フレーム２４）には、軸受け孔４０が設けられ、支軸３８の円柱部４６はこの軸受け孔４０に旋回可能に挿通されている。
基部２８（フレーム２４）は、脱着プレート３６に対面する第１の面２８Ａとこの第１の面２８Ａの反対側に位置する第２の面２８Ｂとを有し、第２の面２８Ｂに、軸受け孔４０を中心とする第２の面２８Ｂに開放状の凹部６０が設けられている。凹部６０は、環板状の底面６００２と、底面６００２から起立する内周面６００４を有している。
摩擦機構３３は脱着プレート３６上においてフレーム２４に適度な摩擦抵抗を与えフレーム２４（ビューファインダー装置１４）の旋回状態を維持するもので、フレーム２４の空回りを防止し、ユーザーが回した所望の旋回状態（回転位置）にフレーム２４（ビューファインダー装置１４）を維持させるものである。
摩擦機構３３は付勢部材４２を含み、付勢部材４２は、軸受け孔４０から突出する支軸３８の先端であるフランジ４８と、軸受け孔４０の周囲のフレーム２４箇所である底面６００２との間に設けられ、付勢部材４２は、底面６００２を脱着プレート３６に当接する方向に付勢している。
本実施の形態では付勢部材４２は複数枚の皿ばねで構成され、それら皿ばねとフランジ４８は凹部６０内に位置している。
【００１２】
また、本実施の形態では、第１の面２８Ａと脱着プレート３６との間にスペーサ６２が介在している。スペーサ６２は、摩擦係数の低い材料で形成され、このような材料として例えばＰＯＭ（ポリアセタール：polyacetal）が使用可能である。このようなスペーサ６２を用いることでフレーム２４と脱着プレート３６との間の摩擦抵抗が低減されフレーム２４の旋回運動の円滑化、安定化が図られている。
また、本実施の形態では、凹部６０の底面６００２上にワッシャ６４が設けられ、さらにこのワッシャ６４の上にワッシャ６４よりも外径が小さいワッシャ６６が設けられている。凹部６０の底面６００２上に配置されるワッシャ６４は、摩擦係数の低い材料で形成され、このような材料として例えばＰＯＭが使用可能である。このようなワッシャ６４を用いることでフレーム２４と付勢部材４２との間の摩擦抵抗が低減されフレーム２４の旋回運動の円滑化、安定化が図られている。また、ワッシャ６４の上に載置されるワッシャ６６は、付勢部材４２によるワッシャ６４への損傷を防止するためのものであり、ワッシャ６６は金属材料で形成されている。
【００１３】
筒状部材５４は、環板部６８と筒部７０とを有している。
環板部６８の中心には嵌合孔６８０２が形成され、この嵌合孔６８０２に支軸３８の上端軸部５０が挿通されることで、筒状部材５４は、回転不能で支軸３８の軸方向に移動可能に結合され、環板部６８は凹部６０の底面６００２およびフランジ４８に対向している。
なお、フランジ４８が環板部６８に臨む面に凹溝４８０２が形成されており、この凹溝４８０２に筒状部材５４の軸方向のがたつきを防止するための弾性部材７２が設けられている。本実施の形態では弾性部材７２として波ワッシャが用いられている。
【００１４】
筒部７０は、底面６００２上において支軸３８、付勢部材４２、フランジ４８を覆っており、筒部７０はフランジ４８よりも大きい寸法の内径および内周面６００４よりも小さい寸法の外径を有し、支軸３８の軸方向に延在しており、筒部７０は凹部６０内に位置し、筒部７０の先端７００２はワッシャ６４に当接可能に配置されている。
【００１５】
ロック用操作部材５６は、本実施の形態では、雄ねじ７４およびワッシャ７６を介して支軸３８に連結されている。
本実施の形態では、ロック用操作部材５６は、回転操作用の円筒壁５６０２と、円筒壁５６０２に設けられた指掛け部５６０４とを有している。
雄ねじ７４の軸部は筒状部材５４の嵌合孔６８０２を通り支軸３８の第２の雌ねじ３８０４に螺合されている。
また、雄ねじ７４の頭部は凹部６０の上方に位置し、雄ねじ７４の頭部とロック用操作部材５６とはねじ７８により一体回転するように結合されている。円筒壁５６０２には、ねじ７８およびねじ７８を締め付けるための工具を挿通するための孔５６０２Ａが開口されている。
ワッシャ７６は、ロック用操作部材５６の円筒壁５６０２の下端と環板部６８との間に設けられている。ワッシャ７６は、摩擦係数の低い材料で形成され、このような材料として例えばＰＯＭが使用可能である。このようなワッシャ７６を用いることでロック用操作部材５６と筒状部材５４との間の摩擦抵抗が低減されロック用操作部材５６の回転操作の円滑化、安定化が図られている。
また、環板部６８から突設された軸６８０４が、ロック用操作部材５６に設けられた溝５６１２に挿入され、軸６８０４が溝５６１２の端部に当接することでロック用操作部材５６の緩める方向への限界位置が決定されるように構成されている。
なお、軸６８０４を圧入固定することなどでフランジ４８から突設し、この軸６８０４を環板部６８に形成した孔を挿通させることで、筒状部材５４を、回転不能で支軸３８の軸方向に移動可能に結合してもよく、この場合には、上端軸部５０は円柱状に形成され、環板部６８の中心の嵌合孔６８０２は、上端軸部５０が軸方向に移動可能に挿通する円形の孔となる。
【００１６】
したがって、図８において、ロック用操作部材５６を、雄ねじ７４が第２の雌ねじ３８０４に螺合していく回転方向に回転操作すると、雄ねじ７４の第２の雌ねじ３８０４への螺合に追従してロック用操作部材５６は回転しつつ脱着プレート３６側に移動し、ワッシャ７６および環板部６８を介して筒状部材５４を脱着プレート３６方向に移動させる。なお、このとき弾性部材７２は圧縮される。そして、図９に示すように、筒状部材５４の移動により筒部７０の下端７００２がワッシャ６４を介して凹部６０の底面６００２に当接する。これによりフレーム２４の凹部６０の底面６００２を構成する箇所は、スペーサ６２とワッシャ６４が介在した状態で筒状部材５４と脱着プレート３６により挟持固定され、フレーム２４はカメラ本体１２のケース１８上に旋回不能な状態で支持されることになる。すなわち、フレーム２４（ビューファインダー装置１４）の旋回状態がロックされる。
また、この状態から雄ねじ７４が第２の雌ねじ３８０４から外れる方向にロック用操作部材５６を回転操作すると、ロック用操作部材５６は回転しつつ脱着プレート３６から離れる方向に移動し、筒状部材５４は弾性部材７２の弾性により脱着プレート３６から離れる方向に移動し、図８に示すように、筒部７０の下端７００２が凹部６０の底面６００２から離れる。これによりフレーム２４は、摩擦機構３３により所定の摩擦抵抗をもってその旋回状態が維持されることになる。すなわち、フレーム２４（ビューファインダー装置１４）の旋回状態のロックが解除される。
【００１７】
本実施の形態によれば以下の効果が奏される。
ロック機構３４によりフレーム２４の旋回状態をロックした場合には、図１に示すように、三脚２の雲台２Ａに取着された撮像装置１０をパン方向に勢いよく回動させたとしても、ビューファインダー装置１４が慣性により不用意に旋回してしまうことが防止され、撮影者がビューファインダー装置１４の姿勢をいちいち修正する手間がかからないので、撮像装置１０を急にパンさせることが想定される場合における使い勝手を向上させる上で有利となる。
また、ロック機構３４によりフレーム２４の旋回状態のロックを解除した場合には、ビューファインダー装置１４が旋回機構３２、摩擦機構３３を介して所定の摩擦力をもって脱着プレート３６上で旋回可能に支持されるため、ビューファインダー装置１４を手で動かすことにより容易に旋回させて所望の回転位置に位置させることができる。そして、摩擦機構３３によりフレーム２４を空回りすることなく所望の回転位置に保持させることができるので、撮影者は撮影状況や撮像装置１０の姿勢の変化に対応して容易にビューファインダー装置１４の姿勢を変えることができ使い勝手を向上させる上で有利となる。
また、ロック用操作部材５６を回転するといった極めて簡単な操作によりフレーム２４の旋回状態のロックおよびその解除を行うことができるため、撮影状況などに応じて迅速にビューファインダー装置１４の旋回状態のロックとロック解除を切り換えることができ使い勝手を向上する上で有利となる。
【００１８】
なお、本実施の形態では、ロック機構３４をビューファインダー装置１４のフレーム２４の旋回機構３２に適用した場合について説明したが、本発明のロック機構はビューファインダー装置１４以外の様々な機器のフレームの旋回機構に広く適用可能である。
また、本実施の形態では、旋回機構３２がフレーム２４を鉛直軸回りに旋回させる場合について説明したが、フレーム２４が旋回する軸の延在方向は任意である。
【図面の簡単な説明】
【００１９】
【図１】撮像装置１０の側面図である。
【図２】図１のＡ矢視図である。
【図３】図１のＢ矢視図である。
【図４】ビューファインダー装置の背面図である。
【図５】（Ａ）はビューファインダー装置の正面図、（Ｂ）は（Ａ）のＣ矢視図である。
【図６】図５（Ａ）のＤ矢視図である。
【図７】図５（Ａ）のＥＥ線矢視図である。
【図８】フレーム２４の旋回のロックが解除された状態における旋回機構３２、摩擦機構３３、ロック機構３４の断面図である。
【図９】フレーム２４の旋回がロックされた状態における旋回機構３２、摩擦機構３３、ロック機構３４の断面図である。
【符号の説明】
【００２０】
１０……撮像装置、１２……カメラ本体、１４……ビューファインダー装置、１８……ケース、２４……フレーム、３２……旋回機構、３３……摩擦機構、３４……ロック機構、３６……脱着プレート、３８……支軸、４０……軸受け孔、４２……付勢部材、５４……筒状部材、５６……ロック用操作部材。
【図１】
2008054024.tif 000003
【図２】
2008054024.tif 000004
【図３】
2008054024.tif 000005
【図４】
2008054024.tif 000006
【図５】
2008054024.tif 000007
【図６】
2008054024.tif 000008
【図７】
2008054024.tif 000009
【図８】
2008054024.tif 000010
【図９】
2008054024.tif 000011
【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
ケースと、前記ケースに収容され被写体像を撮像する撮像素子と、前記ケースに収容され前記撮像素子によって生成された撮像信号に基づいて映像信号を生成する信号処理部とを含むカメラ本体と、
前記映像信号に基づいて映像を表示する表示部と、前記表示部を支持するフレームとを含むビューファインダー装置と、
前記ケースの着脱部に着脱可能に連結される脱着プレートと、前記脱着プレートから突設された支軸と、前記フレームに設けられ前記支軸が旋回可能に挿通される軸受け孔とを含む前記フレームの旋回機構と、
前記フレームに摩擦抵抗を与え前記フレームの旋回状態を維持する摩擦機構と、
前記フレームの旋回状態のロックとその解除を行なうロック機構とを備え、
前記ロック機構は、
前記支軸に前記支軸の軸方向に移動可能に結合され前記軸受け孔の周囲のフレーム箇所上において前記支軸を覆う筒部を有する筒状部材と、
前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材と、
を含んでいることを特徴とする撮像装置。
【請求項２】
前記摩擦機構は、前記軸受け孔から突出する支軸の先端と前記軸受け孔の周囲のフレーム箇所との間に設けられ前記フレーム箇所を前記脱着プレートに当接する方向に付勢する付勢部材を含んで構成され、
前記筒部は、前記フレーム箇所上において前記支軸と共に前記付勢部材を覆っている、
ことを特徴とする請求項１記載の撮像装置。
【請求項３】
前記軸受け孔から突出する支軸の箇所にフランジが設けられ、
前記摩擦機構は、前記支軸の周囲で前記フランジとこのフランジに対向する前記軸受け孔の周囲のフレーム箇所との間に設けられ前記フレーム箇所を前記脱着プレートに当接する方向に付勢する付勢部材を含んで構成され、
前記筒部は、前記フレーム箇所上において前記支軸と共に前記付勢部材を覆っている、
ことを特徴とする請求項１記載の撮像装置。
【請求項４】
前記フレームは、前記脱着プレートに対面する第１の面と、前記第１の面と反対に位置する第２の面とを有し、
前記第２の面に、前記軸受け孔を中心とする前記第２の面に開放状の凹部が設けられ、
前記摩擦機構は前記凹部内に位置し、
前記筒部は前記凹部内で前記摩擦機構を覆っており、
前記筒状部材は、前記支軸に前記支軸の軸方向に移動可能に結合され前記凹部の底部に対向し前記筒部に連結された環板部とを有し、
前記ロック用操作部材が一方向に回転されることで前記環板部を介して前記筒状部材が前記脱着プレート側に移動する、
ことを特徴とする請求項１記載の撮像装置。
【請求項５】
前記軸受け孔から突出する支軸の箇所にフランジが設けられ、
前記摩擦機構は、前記支軸の周囲で前記フランジとこのフランジに対向する前記軸受け孔の周囲のフレーム箇所との間に設けられ前記フレーム箇所を前記脱着プレートに当接する方向に付勢する付勢部材を含んで構成され、
前記フレームは、前記脱着プレートに対面する第１の面と、前記第１の面と反対に位置する第２の面とを有し、
前記第２の面に、前記軸受け孔を中心とする前記第２の面に開放状の凹部が設けられ、
前記フランジおよび前記付勢部材は前記凹部内に位置し、
前記筒部は前記凹部内で前記フランジおよび前記付勢部材を覆っており、
前記筒状部材は、前記支軸に前記支軸の軸方向に移動可能に結合され前記フランジに対向し前記筒部に連結された環板部を有し、
前記ロック用操作部材が一方向に回転されることで前記環板部を介して前記筒状部材が前記脱着プレート側に移動する、
ことを特徴とする請求項１記載の撮像装置。
【請求項６】
前記軸受け孔から突出する支軸の箇所に雌ねじが形成され、
前記ロック用操作部材は前記雌ねじに螺合する雄ねじを有し、
前記ロック用操作部材の回転により前記雌ねじに対し前記雄ねじが回転し、前記ロック用操作部材が前記支軸の軸方向に移動する、
ことを特徴とする請求項１記載の撮像装置。
【請求項７】
前記筒状部材は、前記支軸に回転不能に結合されている、
ことを特徴とする請求項１記載の撮像装置。
【請求項８】
前記軸受け孔から突出する支軸の箇所にフランジが設けられ、
前記摩擦機構は、前記支軸の周囲で前記フランジとこのフランジに対向する前記軸受け孔の周囲のフレーム箇所との間に設けられ前記フレーム箇所を前記脱着プレートに当接する方向に付勢する付勢部材を含んで構成され、
前記フレームは、前記脱着プレートに対面する第１の面と、前記第１の面と反対に位置する第２の面とを有し、
前記第２の面に、前記軸受け孔を中心とする前記第２の面に開放状の凹部が設けられ、
前記フランジおよび前記付勢部材は前記凹部内に位置し、
前記筒部は前記凹部内で前記フランジおよび前記付勢部材を覆っており、
前記筒状部材は、前記支軸に回転不能かつ前記支軸の軸方向に移動可能に結合され前記フランジに対向し前記筒部に連結された環板部を有し、
前記ロック用操作部材が一方向に回転されることで前記環板部を介して前記筒状部材が前記脱着プレート側に移動し、
前記環板部と前記フランジとの間に、それら環板部とフランジとの間を離す方向に付勢する弾性部材が設けられている、
ことを特徴とする請求項１記載の撮像装置。
【請求項９】
前記弾性部材は、波ワッシャで構成されている、
ことを特徴とする請求項８記載の撮像装置。
【請求項１０】
前記フレームは、前記脱着プレートに対面する第１の面と、前記第１の面と反対に位置する第２の面とを有し、
前記第１の面と前記脱着プレートとの間にスペーサが介在している、
を備えることを特徴とする請求項１記載の撮像装置。
【請求項１１】
前記スペーサは、摩擦係数の小さい材料で形成されている、
ことを特徴とする請求項１０記載の撮像装置。
【請求項１２】
前記摩擦機構は、前記支軸の周囲で前記支軸の先端と前記軸受け孔の周囲のフレーム箇所との間に設けられ前記フレーム箇所を前記脱着プレートに当接する方向に付勢する付勢部材を含んで構成され、
前記フレームは、前記脱着プレートに対面する第１の面と、前記第１の面と反対に位置する第２の面とを有し、
前記第２の面と、前記付勢部材および前記筒部の先端との間にワッシャが介在している、
を備えることを特徴とする請求項１記載の撮像装置。
【請求項１３】
前記ワッシャは、摩擦係数の小さい材料で形成されている、
ことを特徴とする請求項１２記載の撮像装置。
【請求項１４】
前記フレームは、前記脱着プレートに対面する第１の面と、前記第１の面と反対に位置する第２の面とを有し、
前記第２の面と、前記筒部の先端との間に第１のワッシャが介在し、
前記付勢部材と前記第１のワッシャとの間に第２のワッシャが介在している、
ことを特徴とする請求項１記載の撮像装置。
【請求項１５】
前記第１のワッシャは、摩擦係数の小さい材料で形成され、前記第２のワッシャは、金属材料で形成されている、
ことを特徴とする請求項１４記載の撮像装置。
【請求項１６】
前記ロック用操作部材は、前記筒状部材に臨む面を有し、
前記面と前記筒状部材との間に第３のワッシャが介在している、
ことを特徴とする請求項１記載の撮像装置。
【請求項１７】
前記第３のワッシャは、摩擦係数の小さい材料で形成されている、
ことを特徴とする請求項１６記載の撮像装置。
【請求項１８】
脱着プレートと、前記脱着プレートから突設された支軸と、フレームに設けられ前記支軸が旋回可能に挿通される軸受け孔とを含む前記フレームの旋回機構に設けられ、前記フレームの旋回状態のロックとその解除を行なうロック機構であって、
前記ロック機構は、
前記支軸に前記支軸の軸方向に移動可能に結合され前記軸受け孔の周囲のフレーム箇所上において前記支軸を覆う筒部を有する筒状部材と、
前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材と、
を含んでいることを特徴とするロック機構。
【請求項１９】
前記旋回機構に、前記フレームに摩擦抵抗を与え前記フレームの旋回状態を維持する摩擦機構が設けられている、
ことを特徴とする請求項１８記載のロック機構。
【手続補正２】
【補正対象書類名】明細書
【補正対象項目名】０００４
【補正方法】変更
【補正の内容】
【０００４】
上述の目的を達成するため、本発明の撮像装置は、ケースと、前記ケースに収容され被写体像を撮像する撮像素子と、前記ケースに収容され前記撮像素子によって生成された撮像信号に基づいて映像信号を生成する信号処理部とを含むカメラ本体と、前記映像信号に基づいて映像を表示する表示部と、前記表示部を支持するフレームとを含むビューファインダー装置と、前記ケースの着脱部に着脱可能に連結される脱着プレートと、前記脱着プレートから突設された支軸と、前記フレームに設けられ前記支軸が旋回可能に挿通される軸受け孔とを含む前記フレームの旋回機構と、前記フレームに摩擦抵抗を与え前記フレームの旋回状態を維持する摩擦機構と、前記フレームの旋回状態のロックとその解除を行なうロック機構とを備え、前記ロック機構は、前記支軸に前記支軸の軸方向に移動可能に結合され前記軸受け孔の周囲のフレーム箇所上において前記支軸を覆う筒部を有する筒状部材と、前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材とを含んでいることを特徴とする。
また本発明は、脱着プレートと、前記脱着プレートから突設された支軸と、フレームに設けられ前記支軸が旋回可能に挿通される軸受け孔とを含む前記フレームの旋回機構に設けられ、前記フレームの旋回状態のロックとその解除を行なうロック機構であって、前記ロック機構は、前記支軸に前記支軸の軸方向に移動可能に結合され前記軸受け孔の周囲のフレーム箇所上において前記支軸を覆う筒部を有する筒状部材と、前記支軸に回転可能に結合され一方向に回転されることで前記筒状部材を前記脱着プレート側に移動させ前記筒部の先端と前記脱着プレートにより前記軸受け孔の周囲の前記フレーム箇所を挟持固定し、他方向に回転されることで前記脱着プレートから離れる方向への前記筒状部材の移動を可能とするロック用操作部材とを含んでいることを特徴とする。
【手続補正３】
【補正対象書類名】明細書
【補正対象項目名】００１４
【補正方法】変更
【補正の内容】
【００１４】
筒部７０は、底面６００２上において支軸３８、付勢部材４２、フランジ４８を覆っており、筒部７０はフランジ４８よりも大きい寸法の内径および内周面６００４よりも小さい寸法の外径を有し、支軸３８の軸方向に延在しており、筒部７０は凹部６０内に位置し、筒部７０の下端７００２はワッシャ６４に当接可能に配置されている。
【手続補正４】
【補正対象書類名】図面
【補正対象項目名】図５
【補正方法】変更
【補正の内容】
【図５】
2008054024.tif 000012
【手続補正５】
【補正対象書類名】図面
【補正対象項目名】図８
【補正方法】変更
【補正の内容】
【図８】
2008054024.tif 000013